(57)【要約】【課題】撮影シーンに応じた適切な状態である顔にピントが合った画像を撮像できるようにする。【解決手段】フォーカスレンズを無限遠位置から至近位置方向に駆動し（ステップＳ５０４）、この間においてピーク値が得られた領域の画像が顔画像であるか否かを判断する（ステップ５０６）。顔画像であった場合には、その状態を判定して（ステップＳ５０７）、優先順位を決定する（ステップＳ５０７）。最も優先順位の高い顔検出エリアにＡＦを行って（ステップＳ５１８）、撮影処理を実行し（ステップＳ５１９）、撮影枚数Ｃが顔画像の数Ｎに到達するまで、次に優先順位の高い顔検出エリアにＡＦを行って（ステップＳ５２４）、ステップＳ５１９からの処理を繰り返す。【選択図】図５
2008058553.tif 000002
【特許請求の範囲】
【請求項１】
光学系により結像される被写体像を撮像して画像データを取得する撮像手段と、
この撮像手段により取得される所定の画像データに基づいて、顔画像を検出する顔画像検出手段と、
この顔画像検出手段により検出された顔画像の状態を判定する状態判定手段と、
前記光学系を制御し、前記顔画像検出手段により検出された顔画像に対して合焦させる合焦制御手段と、
この合焦制御手段により前記顔画像が合焦される毎に、前記撮像手段により取得される画像データに基づいて静止画データを生成する静止画生成手段と、
を備え、
前記合焦制御手段は、前記状態判定手段による顔画像の状態判定結果に基づいて前記顔画像への合焦順序を設定するとともに、この設定した合焦順序に従って、前記顔画像に対して順次合焦させることを特徴とする撮像装置。
【請求項２】
前記合焦制御手段は、前記状態判定手段により所定の状態となっていると判定された顔画像に対してのみ合焦順序を設定することを特徴とする請求項１記載の撮像装置。
【請求項３】
前記合焦制御手段による一連の合焦制御回数を制限する合焦回数制限手段を更に備えることを特徴とする請求項１又は２記載の撮像装置。
【請求項４】
予め撮影シーン毎に、顔画像の状態に対する優先順位を記憶してなる撮影シーン記憶手段と、
この撮影シーン記憶手段に記憶されている撮影シーンから、いずれかを選択して設定する撮影シーン設定手段とを更に備え、
前記合焦制御手段は、前記撮影シーン設定手段により設定された撮影シーンに対応する顔画像の状態に対する優先順位に基づいて、前記顔画像への合焦順序を設定することを特徴とする請求項１から３にいずれか記載の撮像装置。
【請求項５】
光学系により結像される被写体像を撮像して画像データを取得する撮像手段を備える撮像装置における撮像方法であって、
前記撮像手段により取得される所定の画像データに基づいて、顔画像を検出する顔画像検出ステップと、
この顔画像検出ステップにより検出された顔画像の状態を判定する状態判定ステップと、
前記光学系を制御し、前記顔画像検出手段により検出された顔画像に対して合焦させる合焦制御ステップと、
この合焦制御ステップにより前記顔画像が合焦される毎に、前記撮像手段により取得される画像データに基づいて静止画データを生成する静止画生成ステップと、
を含み、
前記合焦制御ステップでは、前記状態判定ステップによる顔画像の状態判定結果に基づいて前記顔画像への合焦順序を設定するとともに、この設定した合焦順序に従って、前記顔画像に対して順次合焦させることを特徴とする撮像方法。
【請求項６】
光学系により結像される被写体像を撮像して画像データを取得する撮像手段を備える撮像装置が有するコンピュータを、
前記撮像手段により取得される所定の画像データに基づいて、顔画像を検出する顔画像検出手段と、
この顔画像検出手段により検出された顔画像の状態を判定する状態判定手段と、
前記光学系を制御し、前記顔画像検出手段により検出された顔画像に対して合焦させる合焦制御手段と、
この合焦制御手段により前記顔画像が合焦される毎に、前記撮像手段により取得される画像データに基づいて静止画データを生成する静止画生成手段と、
して機能させ、
前記合焦制御手段は、前記状態判定手段による顔画像の状態判定結果に基づいて前記顔画像への合焦順序を設定するとともに、この設定した合焦順序に従って、前記顔画像に対して順次合焦させるように機能させることを特徴とする撮像制御プログラム。
【発明の詳細な説明】
【技術分野】
【０００１】
本発明は、静止画を連続撮影する撮像装置、撮像方法及び撮像制御プログラムに関する。
【背景技術】
【０００２】
従来、１回の撮影操作により静止画を連続撮影するカメラが提案されている。このカメラは、撮影レンズを全域に渡って駆動し、コントラスト法により複数の焦点評価値のピークを検出し、それに対応する各レンズ位置で撮影を行う。したがって、パーティでのスナップ写真や集合写真等において、カメラからの距離が各々異なる位置に複数の人が存在するシーンを撮影する場合であっても、前記各レンズ位置での撮影により、各人の顔にピントが合った写真を撮影することが可能となる（例えば、特許文献１参照。）。
【特許文献１】特開２００３−１１４３７８号公報
【発明の開示】
【発明が解決しようとする課題】
【０００３】
しかしながら、このように１回の撮影操作により各人に対応する各レンズ位置で撮影を行うと、撮影毎にレンズ停止させて再駆動する制御を伴うことから、不可避的に最初の撮影から最後の撮影までに、相当の時間を要する。このため、当初は当該撮影シーンに応じた表情をしていた人物の表情がこの間に変化してしまう場合が生じ、当該撮影シーンに応じた適切な表情をした顔の人物にピントが合った画像を撮影することが困難となってしまう。
【０００４】
本発明は、かかる従来の課題に鑑みてなされたものであり、撮影シーンに応じた適切な状態である顔にピントが合った画像を撮像できるようにした撮像装置、撮像方法及び撮像制御プログラムを提供することを目的とする。
【課題を解決するための手段】
【０００５】
前記課題を解決するため請求項１記載の発明に係る撮像装置にあっては、光学系により結像される被写体像を撮像して画像データを取得する撮像手段と、この撮像手段により取得される所定の画像データに基づいて、顔画像を検出する顔画像検出手段と、この顔画像検出手段により検出された顔画像の状態を判定する状態判定手段と、前記光学系を制御し、前記顔画像検出手段により検出された顔画像に対して合焦させる合焦制御手段と、この合焦制御手段により前記顔画像が合焦される毎に、前記撮像手段により取得される画像データに基づいて静止画データを生成する静止画生成手段と、を備え、前記合焦制御手段は、前記状態判定手段による顔画像の状態判定結果に基づいて前記顔画像への合焦順序を設定するとともに、この設定した合焦順序に従って、前記顔画像に対して順次合焦させる。
【０００６】
また、請求項２記載の発明に係る撮像装置にあっては、前記合焦制御手段は、前記状態判定手段により所定の状態となっていると判定された顔画像に対してのみ合焦順序を設定する。
【０００７】
また、請求項３記載の発明に係る撮像装置にあっては、前記合焦制御手段による一連の合焦制御回数を制限する合焦回数制限手段を更に備える。
【０００８】
また、請求項４記載の発明に係る撮像装置にあっては、予め撮影シーン毎に、顔画像の状態に対する優先順位を記憶してなる撮影シーン記憶手段と、この撮影シーン記憶手段に記憶されている撮影シーンから、いずれかを選択して設定する撮影シーン設定手段とを更に備え、前記合焦制御手段は、前記撮影シーン設定手段により設定された撮影シーンに対応する顔画像の状態に対する優先順位に基づいて、前記顔画像への合焦順序を設定する。
【０００９】
また、請求項５記載の発明に係る撮像方法にあっては、光学系により結像される被写体像を撮像して画像データを取得する撮像手段を備える撮像装置における撮像方法であって、前記撮像手段により取得される所定の画像データに基づいて、顔画像を検出する顔画像検出ステップと、この顔画像検出ステップにより検出された顔画像の状態を判定する状態判定ステップと、前記光学系を制御し、前記顔画像検出手段により検出された顔画像に対して合焦させる合焦制御ステップと、この合焦制御ステップにより前記顔画像が合焦される毎に、前記撮像手段により取得される画像データに基づいて静止画データを生成する静止画生成ステップと、を含み、前記合焦制御ステップでは、前記状態判定ステップによる顔画像の状態判定結果に基づいて前記顔画像への合焦順序を設定するとともに、この設定した合焦順序に従って、前記顔画像に対して順次合焦させる。
【００１０】
また、請求項６記載の発明に係る撮像制御プログラムにあっては、光学系により結像される被写体像を撮像して画像データを取得する撮像手段を備える撮像装置が有するコンピュータを、前記撮像手段により取得される所定の画像データに基づいて、顔画像を検出する顔画像検出手段と、この顔画像検出手段により検出された顔画像の状態を判定する状態判定手段と、前記光学系を制御し、前記顔画像検出手段により検出された顔画像に対して合焦させる合焦制御手段と、この合焦制御手段により前記顔画像が合焦される毎に、前記撮像手段により取得される画像データに基づいて静止画データを生成する静止画生成手段と、して機能させ、前記合焦制御手段は、前記状態判定手段による顔画像の状態判定結果に基づいて前記顔画像への合焦順序を設定するとともに、この設定した合焦順序に従って、前記顔画像に対して順次合焦させるように機能させる。
【発明の効果】
【００１１】
本発明によれば、撮像して取得される画像データ内の顔画像の状態判定結果に基づいて顔画像への合焦順序を設定するとともに、この設定した合焦順序に従って、顔画像に対して順次合焦させて、連続撮像するようにしたことから、撮影シーンに応じた適切な状態にある顔の人物にピントが合った画像を撮像することができる。
【発明を実施するための最良の形態】
【００１２】
以下、本発明の一実施の形態を図にしたがって説明する。図１は、本実施の形態に係るデジタルカメラ１のブロック図である。このデジタルカメラ１はＡＦ機能（オートフォーカス機能）を備えたものであって、フォーカスレンズ２、ズームレンズ３、ＣＣＤ４、ＣＤＳ／ＡＤブロック５、ＴＧ（Timing Generator）６、ＣＣＤデータ前処理ブロック７、色処理（ＣＰ）ブロック８、ＪＰＥＧ符号化器９、ＤＲＡＭ１０、内蔵のフラッシュメモリ１１、ＲＡＭ１２、ＣＰＵ１３、画像表示部１４、キーブロック１５、カード・インターフェイス１６、及びモータ駆動ブロック１７を備えており、カード・インターフェイス１６には、図示しないカメラ本体のカードスロットに着脱自在に装着されたメモリカード１８が接続されている。
【００１３】
フォーカスレンズ２及びズームレンズ３はそれぞれが図示しないレンズ群から構成されるものである。モータ駆動ブロック１７は、フォーカスレンズ２を光軸方向に駆動するフォーカスモータ１７０ａ、及びズームレンズ３を光軸方向に駆動するズームモータ１７０ｂと、ＣＰＵ１３から送られる制御信号に従いフォーカスモータ１７０ａ及びズームモータ１７０ｂをそれぞれ駆動するモータドライバ１７１ａ，１７１ｂとから構成されている。なお、フォーカスモータ１７０ａ及びズームモータ１７０ｂは共にステッピングモータである。
【００１４】
ＣＣＤ４は、フォーカスレンズ２とズームレンズ３を介して投影された被写体像を光電変換し撮像信号として出力する。ＴＧ６は、所定周波数のタイミング信号を生成してＣＣＤ４を駆動する。ＣＤＳ／ＡＤブロック５は、ＣＣＤ４からの出力信号をサンプリングしてノイズを除去しデジタル信号に変換する。ＣＣＤデータ前処理ブロック７は、デジタル信号に変換された撮像信号に対し輝度信号処理等のデータ処理を行う。色処理（ＣＰ）ブロック８は、輝度信号処理等が行われた画像信号に対して色分離等の色処理を行い、Ｙ，Ｃｂ，Ｃｒの画像データを生成する。ＤＲＡＭ１０は、色処理後のＹ，Ｃｂ，Ｃｒの画像データを逐次記憶する。
【００１５】
画像表示部１４は、カラーＬＣＤと、それを駆動する駆動回路等からなり、撮影モードが設定された状態でシャッタキーが押されていない撮影待機状態には、ＣＣＤ４から取り込まれＤＲＡＭ１０に蓄積された１フレーム（画面）分の画像データに基づくスルー画像を表示し、再生モードが設定された状態では、メモリカード１８から読み出されるとともに伸張された画像データに基づく記録画像を表示する。
【００１６】
ＪＰＥＧ符号化器９は、画像記録時には、色処理（ＣＰ）ブロック８から入力した画像データをＪＰＥＧ圧縮する。メモリカード１８は、カード・インターフェイス１６を介して送られた圧縮後の画像データを記録する。記録された画像データは、記録画像の再生時に読み出され、ＪＰＥＧ符号化器９により伸張された後、画像表示部１４において表示される。また、キーブロック１５は、撮影モード、再生モード、フォーカスブラケティングモード等の各種モードの切り替えに使用される切替キーや、シャッタキー、絞りやシャッタ速度を設定するための設定キー、ズーム倍率の変更に使用されるズームキー等の各種の操作キーを含み、キー操作に応じた操作信号をＣＰＵ１３へ送る。また、シャッタキーは、所謂ハーフシャッタ機能を備えたものであり、撮影予告のための半押し操作と、撮影指示用の全押し操作が可能な構成である。
【００１７】
前記フラッシュメモリ１１には、ＣＰＵ１３によるデジタルカメラ１の制御、すなわちＡＦ制御、ＡＥ制御、ＡＷＢ制御等に必要なプログラムと各種データ、後述するフローチャートに示す制御を実行するための制御プログラム等が格納されており、ＣＰＵ１３は、キーブロック１５からの操作信号と前記プログラムに従いＲＡＭ１２を作業用メモリとして動作する。
【００１８】
さらに、フラッシュメモリ１１には、図２（ａ）に示す優先順位データテーブル１１１と、同図（ｂ）に示す顔画像パターンテーブル１１４とが予め格納されている。優先順位データテーブル１１１には、撮影シーン記憶領域１１２と撮影優先順位記憶領域１１３とが設けられている。撮影シーン記憶領域１１２には、シーン１「パーティ」、シーン２「記念写真」・・・等の撮影シーン種別が記憶され、撮影優先順位記憶領域１１３には各撮影シーン種別に対応して、「顔１」「顔２」等の撮影優先順位データが優先順位が高い順に記憶されている。また、顔画像パターンテーブル１１４には、前記撮影優先順位記憶領域１１３に記憶された撮影優先順位データ「顔１」に対応する「笑っている顔」、「顔２」に対応する「正面を向いた顔」等の、顔画像の状態が記憶されている。したがって、これら優先順位データテーブル１１１と顔画像パターンテーブル１１４とを参照することにより、後述するように選択された撮影シーンにおいて、顔画像の状態に基づき撮影優先順位を決定することができる。
【００１９】
次に、以上の構成からなるデジタルカメラ１の本発明に係る動作を説明する。ＣＰＵ１３は、前記プログラムに従って動作することにより、図３のフローチャートに示すように処理を実行する。すなわち、撮影モードが設定されているか否かを判断し（ステップＳ１）、設定されてない場合には再生モードに移行する。撮影モードが設定されている場合には、撮影モードにおけるフォーカスブラケティングモードが設定されているか否かを判断し（ステップＳ２）、設定されていない場合には通常撮影モードに移行する。また、フォーカスブラケティングモードが設定されている場合には、このフォーカスブラケティングモードにおける設定モードが設定されているか否かを判断する（ステップＳ３）。そして、設定されている場合には、設定モード処理（ステップＳ４）を実行し、設定されていない場合にはフォーカスブラケティングモード処理（ステップＳ５）を実行する。
【００２０】
図４は、前記設定モード処理（ステップＳ４）の処理手順を示すサブルーチンである。まず、以下のステップＳ４０２、Ｓ４０４、Ｓ４０５でユーザが選択を行うための選択画面を画像表示部１４に表示させる（ステップＳ４０１）。これにより、画像表示部１４には、図２に示したシーン１「パーティ」、シーン２「記念写真」・・・等の撮影シーン種別が表示される。次に、この表示されたシーン種別からいずれかが選択されたか否かを判断し（ステップＳ４０２）、選択されたならば当該選択された撮影シーン名をＲＡＭ１２に記憶することにより設定する（ステップＳ４０３）。
【００２１】
また、撮影制限枚数が設定されたか否かを判断し（ステップＳ４０４）、設定された場合にはこの制限枚数をＲＡＭ１２に記憶することにより設定する（ステップＳ４０５）。さらに、「シーンに合った顔のみ撮影」が選択されたか否かを判断し（ステップＳ４０６）、選択された場合には「シーンに合った顔のみ撮影」が選択されたことを示す情報をＲＡＭ１２に記憶することにより設定する（ステップＳ４０７）。
【００２２】
図５は、フォーカスブラケティングモード処理（ステップＳ５）の処理手順を示すサブルーチンである。表示装置６にスルー画像を表示させて（ステップＳ５０１）、シャッタキーが半押し操作されるまで待機する（ステップＳ５０２）。シャッタキーが半押し操作されたならば（ステップＳ５０２；ＹＥＳ）、フォーカスモータ１７０ａを制御してフォーカスレンズ２を無限遠位置に駆動し（ステップＳ５０３）、引き続き無限遠位置から至近位置方向に駆動する（ステップＳ５０４）。そして、この間において合焦評価値のピーク値が得られたか否かを判断し（ステップＳ５０５）、図６に示すようにピーク値が得られたならば、当該ピーク値が得られた画像が顔画像であるか否かを判断する（ステップ５０６）。顔画像であった場合には、前述したステップＳ４０３で設定された撮影シーンに基づき、その状態を判定する（ステップＳ５０７）。
【００２３】
つまり、前記ステップＳ４０３で撮影シーンとして「パーティ」が設定されたとすると、図２（ａ）に示すように「パーティ」の撮影優先順位として、優先順位が高い順に「顔１、顔２、顔５、顔４、顔６」が記憶されている。また、同図（ｂ）を参照すると
優先順位１：顔１：笑っている顔
優先順位２：顔２：正面を向いた顔
優先順位３：顔５：距離が最も近い順位の顔
優先順位４：顔４：同じ距離の多くの顔
優先順位５：顔６：予め登録してある顔
である。
【００２４】
したがって、ステップＳ５０７では、ステップＳ５０６で顔画像であると判断された顔が、これら顔１〜顔６のいずれであるかを判定し、さらに、ステップＳ５０８では、この判定した結果に基づく順位を決定する。
【００２５】
すなわち、図７（ｐ）に示すパーティシーンをデジタルカメラ１で撮影している場合において、当該シーンにはデジタルカメラ１からの距離が遠い順に、飾り物Ａと人物の顔Ｄ、顔ＢとテーブルＡと顔Ｃ、顔Ａが存在するものとすると、フォーカスレンズ２を無限遠位置（∞）から至近位置方向に駆動して際に、図６に示したように、飾り物Ａと人物の顔Ｄにピントが合った時点でピーク１が検出され、顔ＢとテーブルＡと顔Ｃにピントが合った時点でピーク２が検出され、顔Ｃにピントが合った時点でピーク３が検出される。しかし、飾り物ＡとテーブルＡとは顔ではないから、除外されよって、
ＡＦのピントが合う顔検出点１（ピーク１）で顔Ｄの位置、
ＡＦのピントが合う顔検出点２（ピーク２）で顔Ｂと顔Ｃの位置、
ＡＦのピントが合う顔検出点３（ピーク３）で顔Ａの位置、
がそれぞれ検出されることとなる。
【００２６】
そして、これら顔Ｄ、顔Ｃ、顔Ｂ、顔Ａについて、その状態が顔１〜顔６のいずれかあるかが判断されて、優先順位１〜５のいずれかが決定されることとなる。なお、その状態が顔１〜顔６のいずれの状態でもない顔が存在する場合には、当該顔の優先順位を優先順位１〜５よりも下位の優勢順位６以下とする。
【００２７】
引き続き、以上の処理により得られたデータを、図７に示すＲＡＭ１２内の顔検出テーブル１２１に記憶する処理を実行する（ステップＳ５０９）。これにより、同図に例示するように、顔Ｄ、顔Ｃ、顔Ｂ、顔Ａに対応して、当該顔を囲繞する矩形の領域である顔検出エリア「ｎ１〜ｎ４」、顔検出エリアの位置座標、状態「顔２、顔６、顔１、顔５」、優先順位「２、５、１、３」が記憶されることとなる。また、以上の処理は、フォーカスレンズ２を至近位置に到達して停止するまで実行し（ステップＳ５１０）、フォーカスレンズ２を至近位置に到達したならば、検出された各顔を囲繞する顔囲繞枠（前記顔検出エリアｎ１〜ｎ４に対応する枠）をスルー画像上に重畳する（ステップＳ５１１）。
【００２８】
次に、シャッタキーが全押しされて撮影指示があったか否かを判断する（ステップＳ５１２）。シャッタキーが全押しされなかった場合には、シャッタキーの半押しが解除されたか否かを判断し（ステップＳ５１３）、シャッタキーの半押しが解除された場合には、前記ステップＳ５１１で重畳表示した各顔を囲繞する顔囲繞枠を消去して（ステップＳ５１４）、前記ステップＳ５０２からの処理を再度実行する。
【００２９】
他方、ユーザが前記ステップＳ５１１で各顔を顔囲繞枠で囲まれたスルー画像を見て撮影される顔を確認し、シャッタキーを全押して撮影指示を行うと、ステップＳ５１２の判断がＹＥＳとなる。よって、このステップ５１２からステップＳ５１５に進み、前述した設定モード処理により、「シーンに合った顔のみ撮影」が設定されているか否かを判断を判断する。「シーンに合った顔のみ撮影」が設定されている場合には、最も優先順位の高い顔検出エリアにＡＦを行って（ステップＳ５１６）、撮影処理を実行する（ステップＳ５１７）。つまり、最も優先順位の高い顔画像が今回の撮影シーン（パーティ）において最もシーンに合った顔であることから、この顔にピントがあった画像を撮影して、静止画データを生成し、メモリカード１８に記録する。したがって、本例の場合においては、最も優先順位の高い顔検出エリアは優先順位１の顔Ｂ（顔１：笑っている顔）であり、顔Ｂの顔検出エリアｎ３にピントが合った画像が撮影されて、メモリカード１８に記録されることとなる。
【００３０】
なお、本実施の形態においては、「シーンに合った顔のみ撮影」が設定されている場合、最も優先順位が高い顔画像のみにピントを合わせて撮影するようにしたが、さらに次に優先順位が高い顔画像のみにピントを合わせて撮影するようにしてもよい。
【００３１】
一方、ステップＳ５１５での判断の結果、「シーンに合った顔のみ撮影」が設定されていない場合にも同様に、最も優先順位の高い顔検出エリアにＡＦを行って（ステップＳ５１８）、撮影処理を実行し（ステップＳ５１９）、撮影枚数をカウントするカウンタＣをカウントアップさせる（ステップＳ５２０）。次に、前述した設定モードにおけるステップＳ４０５で撮影制限枚数が設定されたか否かを判断する（ステップＳ５２１）。撮影制限枚数が設定されている場合には、撮影枚数Ｃが撮影制限枚数Ｌに到達したか否かを判断し（ステップＳ５２２）、到達した時点エンドに進む。したがって、撮影制限枚数Ｌが「２」であったとすると、ステップＳ５１９の撮影処理が２回行われることとなり、下記の順序で撮影が実行されることとなる。
１回目：顔Ｂ（優先順位１、笑っている顔）にピントがあったパーティシーン、
２回目：顔Ｄ（優先順位２、正面を向いた顔）にピントがあったパーティシーン。
【００３２】
また、撮影制限枚数が設定されていない場合、及び撮影枚数Ｃが撮影制限枚数Ｌに到達していない場合には、撮影枚数Ｃが前記顔検出テーブル１２１に記憶された顔画像の数Ｎに到達したか否かを判断する（ステップＳ５２３）。達していない場合には、次に優先順位の高い顔検出エリアにＡＦを行って（ステップＳ５２４）、前述したステップＳ５１９からの処理を繰り返す。そして、Ｃ＝Ｎとなって、撮影枚数Ｃが前記顔検出テーブル１２１に記憶された顔画像の数Ｎに到達した時点でエンドに進む。
【００３３】
したがって、本例においては、顔検出テーブル１２１に記憶された顔画像の数Ｎ＝４であることから、撮影制限枚数が設定されていない場合には、下記の順序で撮影が実行されることとなる。
１回目：顔Ｂ（優先順位１、笑っている顔）にピントがあったパーティシーン、
２回目：顔Ｄ（優先順位２、正面を向いた顔）にピントがあったパーティシーン、
３回目：顔Ａ（優先順位３、距離が最も近い順位の顔）にピントがあったパーティシーン、
４回目：顔Ｃ（優先順位５、予め登録してある顔）にピントがあったパーティシーン。
【００３４】
なお、本実施の形態においては、図２に示した優先順位データテーブル１１１と、顔画像パターンテーブル１１４とは、このデジタルカメラ１のメーカーにより作成されて、予め記憶されているものとしたが、これらのテーブルをユーザが作成して記憶させておくようにしてもよい。これにより、撮影優先順序にユーザの意思を反映させることができる。また、優先順位データテーブル１１１の記憶内容と顔画像パターンテーブル１１４の記憶内容とをユーザにより書き換え可能としてもよく、これによっても撮影優先順序にユーザの意思を反映させることができる。また、この場合、書き換え履歴に基づく学習機能を具備させることにより、書き換えを学習機能により自動的に行うようにしてもよい。
【００３５】
なお、本実施の形態においては、ハーフシャッタ機能を有するシャッタキー設けて、シャッタキーが半押しされたことを条件にステップＳ５０３〜Ｓ５１１の処理を実行し、シャッタキーが全押しされたことを条件にステップＳ５１５〜Ｓ５２４の処理を実行するようにした。しかし、ハーフシャッタ機能を有しないシャッタキー設けて、単にシャッターキーの操作を条件に、ステップＳ５０３〜Ｓ５１１の処理とステップＳ５１５〜Ｓ５２４の処理とを連続的に実行するようにしてもよい。また、ハーフシャッタ機能を有するシャッタキー設け場合にも、シャッタキーが全押しされたことのみを条件に、ステップＳ５０３〜Ｓ５１１の処理とステップＳ５１５〜Ｓ５２４の処理とを連続的に実行するようにしてもよい。
【図面の簡単な説明】
【００３６】
【図１】本発明の一実施の形態に係るデジタルカメラのブロック図である。
【図２】（ａ）は優先順位データテーブル示す概念図であり、（ｂ）は顔画像パターンテーブルを示す概念図である。
【図３】本実施の形態の処理手順を示すフローチャートである。
【図４】設定モード処理の処理手順を示すフローチャートである。
【図５】フォーカスブラケティングモード処理の処理手順を示すフローチャートである。
【図６】フォーカスレンズ位置と合焦評価値との関係の一例を示す図である。
【図７】本実施の形態の動作を示す説明図である。
【図８】顔検出テーブルを示す概念図である。
【符号の説明】
【００３７】
１    デジタルカメラ
２    フォーカスレンズ
４    ＣＣＤ
６    ＴＧ
８    ブロック
９    ＪＰＥＧ符号化器
１１    フラッシュメモリ
１２    ＲＡＭ
１３    ＣＰＵ
１４    画像表示部
１５    キーブロック
１６    インターフェイス
１７    モータ駆動ブロック
１８    メモリカード
１１１    優先順位データテーブル
１１４    顔画像パターンテーブル
【図１】
2008058553.tif 000003
【図２】
2008058553.tif 000004
【図３】
2008058553.tif 000005
【図４】
2008058553.tif 000006
【図５】
2008058553.tif 000007
【図６】
2008058553.tif 000008
【図７】
2008058553.tif 000009
【図８】
2008058553.tif 000010